(57)【要約】      （修正有）【課題】コンテナ内に荷物を固縛する作業が簡単である。【解決手段】コンテナ用荷物固縛具は２つの固縛ベルト２を備え、左右側壁部１１ａ，１１ｂの被係止リング１２が設けられている海上コンテナ１１に用いる。固縛ベルト２は、縦ベルト４と、横ベルト５とを有する。縦ベルト４は、ベルト本体の各端部に、被係止リング１２に係脱可能である係止部材１３を有する。横ベルト５は、縦ベルト４のベルト本体が移動可能に挿入されるループ部を一端部に有し、他端部が自由端である。【選択図】図２
2016074472.tif 000002
【特許請求の範囲】
【請求項１】
１対の固縛ベルトを有し、左右の側壁部に被係止部材を有するコンテナ内に、前記被係止部材を利用して荷物を固縛するコンテナ用荷物固縛具であって、
前記固縛ベルトは、ベルト本体の各端部に、前記被係止部材に係脱可能である係止部材を有する縦ベルトと、前記縦ベルトのベルト本体が移動可能に挿入されるループ部を一端部に有し他端部が自由端である横ベルトとを備えることを特徴とするコンテナ用荷物固縛具。
【請求項２】
前記縦ベルトは、前記ベルト本体の途中に、前記ベルト本体の一部を撓ませる帯状ゴムが設けられている、請求項１記載のコンテナ用荷物固縛具。
【請求項３】
前記コンテナは、海上コンテナであり、
前記被係止部材は、前記海上コンテナの左右側壁部に設けられた被係止リングであり、
前記係止部材は、前記被係止リングに係脱可能である鉤状の係止フックを有する部材である、請求項１又は２記載のコンテナ用荷物固縛具。
【請求項４】
前記横ベルトのループ部の、前記縦ベルトのベルト本体への挿入状態は、位置固定手段によって、前記縦ベルトのベルト本体の特定位置に固定可能な状態である、請求項１〜３のいずれか１つに記載の記載のコンテナ用荷物固縛具。
【発明の詳細な説明】
【技術分野】
【０００１】
本発明は、被係止部材（例えば固縛用リング）を有するコンテナ内に、前記被係止部材を利用して荷物を固縛するコンテナ用荷物固縛具に関するものである。
【背景技術】
【０００２】
一般的に、貨物を輸出又は輸入しようとする場合には、貨物を輸送する容器として海上コンテナが使用される。そして、海上コンテナ内に収容された貨物が海上輸送中に移動し、荷崩れや落下等で貨物にダメージを発生させないように貨物を固定、固縛する必要がある。つまり、ベルトやワイヤー等で海上コンテナ内の貨物を前後、左右に移動しない処置を施したり（ラッシング）、貨物と貨物が海上コンテナ内でぶつかり合ったり擦れ合ったりしないようにコンパネ板や段ボール、緩衝材等で固定し、場合によって木材等で海上コンテナ床面と貨物とを固定する必要がある（ブロッキング）。
【０００３】
ところで、積荷（貨物）等を固縛するベルトとして、ベルトの一端に係止部材としてのフックを取り付け、他端がループになったものは知られている（例えば、特許文献１参照）。
【０００４】
また、コンテナ内の左右側壁に被係止部材としてレール材が設けられたものも知られている（例えば、特許文献２参照）。
【０００５】
そこで、前述したようなベルトを連結して適当な長さとすると共に両端に係止部材（フック）が位置するようにし、これを荷物に巻き付けるようにして、両端の係止部材を、コンテナ内の被係止部材（レール材）に係止することによって該荷物の荷崩れを防止することが考えられる。
【先行技術文献】
【特許文献】
【０００６】
【特許文献１】実開昭６４−６４４９号公報（第４図）
【特許文献２】実開平３−９８１５５号公報（第１図）
【発明の概要】
【発明が解決しようとする課題】
【０００７】
しかしながら、そのようにすると、両サイドに配置された荷物と係止部材との間の隙間に作業者が手を挿入して、ベルト端部の係止部材を左右側壁部の被係止部材に係止しなければならないが、コンテナ内には、搬送効率の点から、荷物を一杯に積み込んでいるのが通常であり、両サイドに配置された荷物と被係止部材との間の隙間は非常に狭く、荷物を積み込んでからの係止が困難である。そのため、コンテナ内に荷物を固縛する作業が面倒なものとなっている。
【０００８】
本発明は、コンテナ内に荷物を固縛する作業が簡単であるコンテナ用荷物固縛具を提供することを提供する。
【課題を解決するための手段】
【０００９】
請求項１の発明は、１対の固縛ベルトを有し、左右の側壁部に被係止部材を有するコンテナ内に、前記被係止部材を利用して荷物を固縛するコンテナ用荷物固縛具であって、前記固縛ベルトは、ベルト本体の各端部に、前記被係止部材に係脱可能である係止部材を有する縦ベルトと、前記縦ベルトのベルト本体が移動可能に挿入されるループ部を一端部に有し他端部が自由端である横ベルトとを備えることを特徴とする。
【００１０】
このようにすれば、予め、左右の側壁部の被係止部材に対し縦ベルトの係止部材を係脱可能に係止し、横ベルトの自由端をコンテナ開口側に引き出しておくことで、荷物の積み込み終了した後であっても、横ベルトの自由端が荷物より後方に位置していることになり、左右の横ベルトの自由端同士を直接にあるいはバックル等の結合具を介して結合することができる。よって、左右の側壁部の被係止部材を利用し、１対の固縛ベルトによって荷物を押さえ付けるように固縛する一連の作業が簡単になる。よって、簡単な作業で、荷物の荷崩れを防止する、固縛ベルトによる固縛を行うことができる。
【００１１】
縦ベルトに横ベルトのベルト本体の一端部であるループ部が移動可能に挿入されているので、荷物の大きさ、形状等に応じて、縦ベルトに対する横ベルトの結合位置を調整することができ、荷崩れを防止する上で有利である。
【００１２】
請求項２に記載のように、前記縦ベルトは、前記ベルト本体の途中に、前記ベルト本体の一部を撓ませる帯状ゴムが設けられている、ことが望ましい。
【００１３】
このようにすれば、万一縦ベルトが緩んで伸びようとしても、帯状ゴムのゴム弾性により、係止部材間の長さは維持され、係止部材が被係止部材から外れることが抑制される。
【００１４】
請求項３に記載のように、前記コンテナは、海上コンテナであり、前記被係止部材は、前記海上コンテナの左右側壁部に設けられた被係止リングであり、前記係止部材は、前記被係止リングに係脱可能鉤状の係止フックを有する部材である、構成とすることができる。
【００１５】
このようにすれば、被係止部材に係止部材を係止するという作業が、被係止リングに係止フックを係止する作業となり、係止する作業が容易になる。
【００１６】
請求項４に記載のように、前記横ベルトのループ部の、前記縦ベルトのベルト本体への挿入状態は、位置固定手段によって、前記縦ベルトのベルト本体の特定位置に固定可能な状態である、ことが望ましい。
【００１７】
このようにすれば、荷物の積み込みの際に、横ベルトが巻き込まれて、左右側壁部と荷物との間に入ってしまうことを回避できる。
【発明の効果】
【００１８】
本発明は、予め左右の側壁部の被係止部材に対し縦ベルトの係止部材を係脱可能に係止し、横ベルトの自由端をコンテナ開口側に位置させておくことで、荷物の積み込み終了後も、横ベルトの自由端がコンテナ開口側に位置するようにできるので、荷物の積み込み終了後、左右の横ベルトの自由端同士を直接にあるいはバックル等の結合具を介して結合するという一連の固縛作業を簡単に行うことができる。
【図面の簡単な説明】
【００１９】
【図１】本発明に係るコンテナ用荷物固縛具を示し、（ａ）は前記固縛具の正面図、（ｂ）は図１（ａ）のＸ部の説明図である。
【図２】前記コンテナ用荷物固縛具による固縛方法の説明図である。
【図３】帯状ゴムを設けた部分の説明図である。
【図４】前記コンテナ用荷物固縛具を用いて固縛した後の説明図である。
【発明を実施するための形態】
【００２０】
以下、本発明の実施の形態を図面に沿って説明する。
【００２１】
図１は本発明に係るコンテナ用荷物固縛具を示し、図１（ａ）は前記固縛具の正面図、図１（ｂ）は図１（ａ）のＸ部の説明図、図２は前記コンテナ用荷物固縛具による固縛方法の説明図である。
【００２２】
図１（ａ）（ｂ）および図２において、１はコンテナ用荷物固縛具であって、１対の固縛ベルト２，２を備え、搬送中などにおいて、海上コンテナ１１内で荷物Ａが不用意に移動しないように固縛するものである。
【００２３】
各固縛ベルト２は、縦ベルト４と、横ベルト５とを組み合わせて構成される。縦ベルト４は、ベルト本体４ａの各端部に、鉤状の係止フックを有する係止部材１３が例えば縫製により固定されている（縫製部分Ｔ１参照）。具体的には、係止部材１３はループ部を有するので、このループ部にベルト端部を巻き付けた後、ベルト本体４ａ上に重ね合わせて縫製することで係止部材１３をベルト本体４ａの一端部に固定している。係止部材１３の係止フックは、荷物Ａの固縛時に、海上コンテナ１１内の上下に設けられている被係止リング１２（被係止部材）に係脱可能に係合するものである。
【００２４】
縦ベルト４は、ベルト本体４ａのほぼ中央部に、ベルト本体４ａの一部を撓ませる帯状ゴム４ｂが設けられている（図３参照）。なお、帯状ゴム４ｂは、各端部をベルト本体４ａに縫製することで取り付けられている。
【００２５】
この帯状ゴム４ｂのゴム弾性により、万一縦ベルト４が緩んで伸びようとしても、係止部材１３間の長さは維持され、それの係止フックが被係止リング１２から外れることが防止される。このため、係止部材１３の係止フックを被係止リングに１２に係脱可能に係止した状態では、帯状ゴム４ｂは少し伸びた状態となっていることが望ましい。
【００２６】
一方、横ベルト５は、ベルト本体５ａの一端部に、縫製によるループ部５ｂを有する（縫製部分Ｔ２参照）一方、他端部が自由端となっている。ループ部５ｂは、具体的には、前記一端部側を丸めて、ベルト端部をベルト本体４ａ上に重ね合わせて縫製することで形成されている（図１（ｂ）参照）。ここで、ループ部５ｂは、Ｙ縫製によるものに限らず、ループ部（環状部）を有する別部材とし、係止部材１３の場合と同様に縫製により固定するようにしてもよい。
【００２７】
このループ部５ｂには、縦ベルト４のベルト本体４ａが移動可能に挿入され、縦ベルト４と横ベルト５とが一体に結合されている。よって、縦ベルト４のベルト本体４ａに沿って横ベルト５のループ部５ｂを移動させることで、ベルト本体４ａ（縦ベルト４）に対する横ベルト５の結合位置を調整することができる。係止部材１３の係止フックを被係止リングに１２に係止した状態では、横ベルト５の結合位置を調整し、その調整後、ガムテープなどの粘着テープ１４（位置固定手段）を用いて左右側壁部１１ａ，１１ｂに貼り付けることで、横ベルト５のループ部５ｂが落下しないように、荷物の大きさ、形状等に応じた位置（高さ）に固定することができる。
【００２８】
前記コンテナ用荷物固縛具１を用いて海上コンテナ１１内に荷物を固縛する場合には、まず、左右側壁部１１ａ，１１ｂそれぞれについて、左右の固縛ベルト２の縦ベルト４の各係止部材１３の係止フックそれぞれを、上下の被係止リング１２に対し係脱可能に係止する（４ヶ所）。この被係止リング１２としては、積み込まれる荷物の、最も後側（コンテナ開口側）となるであろうと予測される位置よりも少し手前に位置するものを利用することが望ましい。なお、この状態（係止フックを被係止リング１２に係止した状態）では、縦ベルト４が上下方向（コンテナ高さ方向）に延びるように取り付けられ、帯状ゴム４ｂは少し伸びた状態となっている。
【００２９】
それから、横ベルト５のループ部５ｂを所望の高さに調整し、その調整後粘着テープ１４を用いてループ部５ｂの位置を固定する。このとき、左右の固縛ベルト２は、横ベルト５を左右側壁部１１ａ，１１ｂに沿って引き出し、自由端である他端部がコンテナ開口側に位置させておく。横ベルト５を左右側壁部１１ａ，１１ｂに沿って引き出すのは、荷物Ａの積み込の際に邪魔にならないようにするためである。
【００３０】
このように、被係止リング１２と係止フック（係止部材１３）との係止、粘着テープ１４による固定、そして横ベルト５の引き出しという一連の作業によって、荷物Ａを積み込む前における固縛ベルト２の取り付け（セッティング）を簡単にできる。また、荷物Ａの積み込みの際に、左右の横ベルト５が左右側壁部１１ａ，１１ｂに沿って配置されているので、左右の横ベルト５が巻き込まれて、左右側壁部１１ａ，１１ｂと荷物Ａとの間に入ってしまったり、積み込み作業者の足に引っ掛かったりすることが回避される。
【００３１】
そして、荷物の積み込み終了後、コンテナ開口側に位置する、横ベルト５の他端部同士を直接にあるいはバックル等の結合具を介して結合する（例えば図４参照）。これにより、荷物Ａを荷崩れしないように固縛することができる。
【００３２】
特に、荷物の大きさ、形状等に応じて、縦ベルト４に対する横ベルト５の結合位置（高さ）を調整し、１対の固縛ベルト２，２によって荷物Ａを固縛するので、荷物Ａに無理な力が作用しないように固縛できる。
【００３３】
また、海上コンテナ１１の搬送中に、万一縦ベルト４が緩んで伸びようとしてもこの帯状ゴム４ｂのゴム弾性により、係止部材１３間の長さは維持され、係止部材１３の係止フックが被係止リング１２から外れることを防止できる。よって、搬送中に、固縛ベルト２が外れることがなくなり、荷崩れを生じさせることなく搬送する上で有利である。
【００３４】
本発明は、前述した実施の形態に制限されることなく、種々の変更が可能である。
【００３５】
(i)前記実施の形態は、左右側壁部１１ａ，１１ｂに、係止フック（係止部材１３）を係止できる被係止リング１２が設けられている海上コンテナ１１に適用しているが、被係止リングや係止部材に限らず、被係止部材と係止部材との係合関係で縦ベルトの上下端部を左右の側壁部に係止できるコンテナであれば、同様に用いることができる。
【００３６】
(ii)前記実施の形態では、左右の横ベルトの自由端同士を直接にあるいはバックル等の結合具を介して結合するようにしているが、長さが足りない場合には、自由端の間を、適当な長さの別のベルトを挟んで結合するようにしてもよいのはもちろんである。
【符号の説明】
【００３７】
１    コンテナ用荷物固縛具
２    固縛ベルト
４    縦ベルト
４ａ    ベルト本体
４ｂ    帯状ゴム
５    横ベルト
５ａ    ベルト本体
５ｂ    ループ部
１１    海上コンテナ
１１ａ，１１ｂ    側壁部
１２    被係止リング
１３    係止部材
１４    粘着テープ
【図１】
2016074472.tif 000003
【図２】
2016074472.tif 000004
【図３】
2016074472.tif 000005
【図４】
2016074472.tif 000006